(57)【特許請求の範囲】
【請求項１】
発光部を備えた発光部側ハウジングと受光部を備えた受光部側ハウジングとが対向して配置され、両方のハウジングの先端部が互いに近接するようにばねで付勢されるパルスオキシメータのプローブであって、
前記受光部側ハウジングには、被検者の指を収容するための、前記先端部から前記受光部側ハウジングの長手方向に延びる円弧状断面の凹部が形成されるとともに、前記受光部が前記円弧状断面の凹部の断面中央部に設置されており、さらに、
前記円弧状断面の凹部の表面には、その凹部の長手方向に延びるリブが、前記受光部の両側の対称的な位置にそれぞれ設けられていることを特徴とするプローブ。
【請求項２】
前記円弧状断面の凹部の表面に設けられる前記リブは、平行な複数本のリブである請求項１に記載のプローブ。
【請求項３】
前記円弧状断面の凹部の表面に設けられる前記リブは、その凹部の長手方向に複数に分割されたリブである請求項１又は請求項２に記載のプローブ。
【請求項４】
前記円弧状断面の凹部の表面に設けられる前記リブは、その凹部の長手方向に連続して延びる１本の直線状のリブであって、かつ、前記凹部の表面からの高さが０．５ｍｍ以上で１．５ｍｍ以下、長手方向の長さが１０ｍｍ以上で１５ｍｍ以下、及び受光部を挟んだ前記リブの相互の距離が６ｍｍ以上で１２ｍｍ以下に設定されている請求項１に記載のプローブ。
【請求項５】
前記円弧状断面の凹部の表面に設けられる前記リブは、接着により表面に取り付けられる請求項１乃至請求項４のいずれかに記載のプローブ。
【請求項６】
前記発光部側ハウジングには、前記受光部側ハウジングの凹部と対向する位置に円弧状断面の対向凹部が形成されるとともに、前記発光部が前記対向凹部の断面中央部に設置されており、さらに、
前記対向凹部の表面には、その対向凹部の長手方向に延びる対向リブが、前記発光部の両側の対称的な位置にそれぞれ設けられている請求項１乃至請求項５のいずれかに記載のプローブ。
【請求項７】
前記プローブには、電源及びディスプレイ部を含むパルスオキシメータの本体部分が一体に組み込まれている請求項１乃至請求項６のいずれかに記載のプローブ。
【発明の詳細な説明】
【技術分野】
【０００１】
本発明は、動脈血の酸素飽和度を光学的に計測するパルスオキシメータにおいて、測定のために被検者の指先に装着するプローブに関するものである。
【背景技術】
【０００２】
パルスオキシメータは、発光部及び受光部を備えた測定用のプローブを被検者の指先等に装着し、血液中の酸化ヘモグロビンの比率に応じて変化する光透過特性を利用して、動脈血の酸素飽和度を測定する装置である。動脈血の酸素飽和度は、体内に酸素をどの程度取り込んだかという呼吸機能を評価する基本的な因子であり、これの検出は、呼吸器系疾患の患者のみならず、健常者の健康度合いの診断あるいは運動状態の管理などの面でも重要な意味を持っている。そして、パルスオキシメータは、動脈血の酸素飽和度を計測するに際し、プローブ等の測定部分を人体内に挿入する必要のない、いわゆる非侵襲型の装置であって、簡単かつ安全に長時間に亘り測定できる大きな利点を有している。
【０００３】
パルスオキシメータは、心拍動に基づく動脈血流の解析技術の進展や強力な光源であるＬＥＤの採用等により、近年、その信頼性が飛躍的に高まり、これと並行して、種々の分野に急速な普及が進むこととなった。現在では、専門的な医療現場での患者等のモニタとしての使用から在宅看護などにおける診断器具としての使用まで、広範な用途に用いられている。同時に、さまざまな構造のパルスオキシメータが出現しており、その中には、電源用電池や測定結果表示用のディスプレイ等からなる本体を、プローブに一体的に組み込んで指に取り付ける一体型パルスオキシメータがある。また、本体を腕時計のように手首に巻きつけ、これとプローブとを通信ケーブルで連結する小型のパルスオキシメータも存在する。
【０００４】
一体型パルスオキシメータの一例として、米国特許出願公開第２００９／４３１８０号公報に記載されたものを図５に示す。
この一体型パルスオキシメータは、上側ハウジング（発光部側ハウジング）１と下側ハウジング（受光部側ハウジング）２とから構成される。理解を容易とするよう、この図では両方のハウジングを分離した状態で表しているが、実際には、対向して配置された両方のハウジングは線形スプリング３により連結されて、洗濯バサミのように、先端部（図の左方）が近接し接触する方向にばね力が付与されている。上側ハウジング１の上部には、測定した酸素飽和度の数値等を表示する（通常、酸素飽和度に付随して検出される心拍数も表示される）ディスプレイ部４が設置され、下側ハウジング２には電源用電池（図示省略）が格納される。
【０００５】
下側ハウジング２の上部には、被検者の指の、主に下側（腹部）を収容する下側凹部２Ｒが形成されており、図５には明示されていないが、上側ハウジング１には、主に指の上側（背部）を収容する上側凹部が形成される。下側凹部２Ｒは、パルスオキシメータの長手方向に延びる断面が円弧状の凹部であって、下側凹部２Ｒの比較的奥側における円弧状断面の中央には、フォトダイオード等の受光素子を有する受光部ＰＤが設置されるとともに、受光部ＰＤの直上に位置する上側ハウジング１の上側凹部には、ＬＥＤ等の発光素子を有する発光部が設置されている。発光素子からは、赤色光と赤外光との波長の異なる２種の光線（光吸収特性の異なる光線）が照射される。
酸素飽和度を測定するときは、両ハウジングの図の右方端部をつまんで線形スプリング３に抗して先端部を開き、被検者の指を挿入して受光部ＰＤの部分に指の先端を位置させる。右方端部を離すと、線形スプリング３のばね力によって、指が上側凹部と下側凹部２Ｒとの間に挟まれた状態で保持され、酸素飽和度の光学的な測定が実行される。このような測定方法は、本体と分離されたプローブを備えるパルスオキシメータにおいても同様であって、そのプローブにも上側凹部と下側凹部とが形成されている。
【０００６】
ところで、パルスオキシメータによる動脈血の酸素飽和度の測定は、プローブに挟まれた指を透過する光を計測して行うものであるから、プローブに固定した発光素子及び受光素子と被検者の指との間に相対的な移動が発生したときは、透過光の乱れによりノイズが混入して測定結果に誤差が生じ、はなはだしい場合には測定が不能となる。これに対処するため、特開平６−３１９７２７号公報には、発光素子と受光素子とを板状弾性体にそれぞれ固定し、これらの板状弾性体を指に密着するように変形して装着することにより、発光素子等と指との間の相対的な移動を防止する技術が開示されている。
【０００７】
また、動脈血の酸素飽和度の測定のためには、心拍動に伴うパルス状の動脈血流を検知する必要があるが、例えば、血流量が相当小さい状態の被検者の場合、指がプローブに挟まれ圧迫されたときに指先の毛細血管の血流が停止して、酸素飽和度が測定不能となる恐れがある。実用新案登録第２５７４６２８号公報には、指と接触するプローブの表面に弾性部材により形成される波状凹凸部を設け、その凸部と指とを点状に接触させて血流を阻害しないようにした技術が開示されている。
【先行技術文献】
【特許文献】
【０００８】
【特許文献１】米国特許出願公開第２００９／４３１８０号公報
【特許文献２】特開平６−３１９７２７号公報
【特許文献３】実用新案登録第２５７４６２８号公報
【発明の概要】
【発明が解決しようとする課題】
【０００９】
パルスオキシメータでは、被検者の体の動き（体動）に伴って、指とプローブの受光部等との相対的な位置が変化すると、受信信号にノイズが混入して測定誤差が増大する。特に、電源用電池やディスプレイ部を含む本体とプローブとが一体の一体型パルスオキシメータでは、指に装着する装置全体の質量が大きくなるため、体動の際の加速度によって装置全体に生じる慣性力が増大し、指とプローブとの相対移動が起こりやすい。
特許文献２のように、板状弾性体に発光素子や受光素子を固定して体動の影響を防止するものは、一般的に用いられる指を挟み込む方式のプローブに適用することはできない。さらに、人体に悪影響のない板状弾性体により、発光素子と受光素子とをそれらの光軸がずれることなく固定するのは、現実的には困難である。
【００１０】
そして、一般的に用いられている挟み込み式のプローブでは、プローブの表面が円滑な面となっているため、測定時に指がその表面で圧迫されて、被検者によっては毛細血管の血流が停止する。この恐れは、指とプローブとの相対的な移動を防止しようとして、プローブを閉じるばね力を大きく設定すると、より強まることとなる。
特許文献３のプローブでは、弾性部材からなる波状凹凸部を表面に設け、その凸部を指に点状に接触させることで血液の流れを阻害しないようにしている。しかし、人体に悪影響のない弾性部材をプローブの表面に取り付けてそこに凹凸部を設けるのは、材料の選択や加工の問題など、やはり、技術的な又はコスト的な面で困難が伴うとともに、プローブの表面をアルコール等で清拭するときに、凹凸部の間に汚れが残りやすい。また、点状の凸部を指に押しつけたときには、被検者に痛みを与える。
本発明の課題は、パルスオキシメータのプローブにおいて、簡単な構造により、被検者に痛みを与えることなく指との間の相対的移動を防止し、かつ、指の圧迫による血流の停止を防止して、上述の問題点を解決することにある。
【課題を解決するための手段】
【００１１】
上記の課題に鑑み、本発明は、パルスオキシメータの挟み込み式のプローブにおける、受光部を設けた凹部の表面に、受光部の両側に長手方向に延びるリブを形成して、このリブにより指の相対的移動を抑えるようにしたものである。すなわち、本発明は
「発光部を備えた発光部側ハウジングと受光部を備えた受光部側ハウジングとが対向して配置され、両方のハウジングの先端部が互いに近接するようにばねで付勢されるパルスオキシメータのプローブであって、
前記受光部側ハウジングには、被検者の指を収容するための、前記先端部から前記受光部側ハウジングの長手方向に延びる円弧状断面の凹部が形成されるとともに、前記受光部が前記円弧状断面の凹部の断面中央部に設置されており、さらに、
前記円弧状断面の凹部の表面には、その凹部の長手方向に延びるリブが、前記受光部の両側の対称的な位置にそれぞれ設けられている」
ことを特徴とするプローブとなっている。
【００１２】
請求項２に記載のように、前記円弧状断面の凹部の表面に設けられる前記リブを、平行な複数本のリブとすることができる。また、請求項３に記載のように、凹部の表面に設けられた前記リブを、長手方向に複数に分割したリブとすることができる。
【００１３】
前記円弧状断面の凹部の表面に設けられる前記リブを、請求項４に記載のように、長手方向に連続して延びる１本の直線状のリブとしたときは、そのリブは、凹部の表面からの高さが０．５ｍｍ以上で１．５ｍｍ以下、長手方向の長さが１０ｍｍ以上で１５ｍｍ以下、及び、受光部を挟んだリブ間の相互の距離が６ｍｍ以上で１２ｍｍ以下に設定することが好ましい。
【００１４】
請求項５に記載のように、前記円弧状断面の凹部の表面に設けられる前記リブを、接着により表面に取り付けることができる。
【００１５】
請求項６に記載のように、前記発光部を備えた発光部側ハウジングに、前記受光部側ハウジングの凹部と対向する位置に円弧状断面の対向凹部を形成して、発光部を前記対向凹部の断面中央部に設置し、さらに、前記対向凹部の表面には、その対向凹部の長手方向に延びる対向リブを、前記発光部の両側の対称的な位置にそれぞれ設けることができる。
【００１６】
そして、請求項７に記載のように、本発明は、電源及びディスプレイ部を含むパルスオキシメータの本体部分を一体に組み込んだ、パルスオキシメータ用プローブに好適なものである。
【発明の効果】
【００１７】
本発明のパルスオキシメータ用のプローブは、指を挟み込んで測定する一般的なプローブと同様に、発光部を設けた発光部側ハウジングと受光部を設けた受光部側ハウジングとを対向して配置し、両方のハウジングの先端部が互いに近接するようにばねで付勢する基本的な構造を備えている。受光部側ハウジングには、被検者の指を収容するための、長手方向に延びる円弧状断面の凹部が形成されており、受光部が凹部の断面中央部に設置されるが、本発明では、凹部の表面に長手方向に延びるリブ、つまり、線状の突起、を受光部の両側の対称的な位置にそれぞれ設けている。
本発明のプローブを被検者の指に装着したときは、指が受光部側ハウジングの凹部に収容され、指の下側（腹部）がリブを設けた凹部の表面に接触する。このリブは、円弧状断面の対称的な２個所において凹部の表面から突出しており、ばねで付勢された発光部側ハウジングを指の上方から押し付けると、弾力のある指の下側の皮膚にリブが少し入り込むようになって、指とプローブとの相対的移動が阻止される。ことに、リブが凹部の長手方向に延びていることから、本発明のプローブは、指とプローブとの相対的な回転を抑止する点で効果的であり、指を回転させるような被検者の体動（このような体動は、手首、肘等の回転運動に伴って発生しやすい）に起因するパルスオキシメータの測定誤差等を回避することが可能となる。
【００１８】
そして、被検者の指をプローブに挟み込んだときは、２個所のリブと指との間に作用する接触圧力が高まり、その分、凹部の断面中央部の受光部に対向する指の部分の接触圧力が弱まる結果となる。そのため、本発明のプローブでは、透過光を測定する指の部分を強く圧迫することがなく、血流量の少ない被検者であっても、動脈の血流の停止によりパルスオキシメータの酸素飽和度の測定が不可能という事態は生じない。
ここで、受光部側ハウジングの凹部に設けられる本発明のリブは、凹部の長手方向に延びる線状の突起となっているので、例えば、特許文献３に記載の、波型凹凸部の点状の凸部を指に押圧するものと比べると、接触個所の接触圧力ははるかに小さいものとなり、被検者には殆ど痛みあるいは違和感を与えることがない。また、アルコール等によるプローブの表面の清拭が容易であって、リブが長手方向に延びている関係上、指とプローブとの相対的な回転を防ぐ効果も大きい。受光部の両側にそれぞれ１本のリブを設けて、このようなメリットをバランスよく発揮させるには、リブの各寸法を請求項４のように設定するのが好ましい。
【００１９】
請求項２の発明のように、円弧状断面の凹部の表面に設けられるリブとして、平行な複数本のリブを受光部の両側にそれぞれ設けたときは、指とリブとの接触部が増大して、より確実に相対移動を抑止することができる。また、被検者の指の太さ等には相当の個人差があるが、平行な複数本のリブを設けると、いずれかのリブが相対移動抑止のための適切な位置に存在することとなり、指の寸法の相違への対処が可能である。なお、平行な複数本のリブを設ける場合は、受光部の置かれる円弧状断面の中央から離れたリブほど、その高さを高くするのが好ましい。
請求項３の発明のように、凹部の表面に設けたリブを、長手方向に複数に分割されたリブとしたときは、リブの間の低部に指の下側の皮膚が入り込んで、指の長手方向の相対的移動がより確実に抑止される。
【００２０】
請求項５の発明のように、円弧状断面の凹部の表面に設けられるリブを、接着により表面に取り付けるようにしたときは、既存のパルスオキシメータのプローブに対しても、別途製作したリブを取り付けて容易に本発明のプローブとすることができる。この場合は、リブを既存のプローブの材料と同一のもので製作するのが望ましい。
【００２１】
請求項６の発明は、発光部を備えた発光部側ハウジングに形成された円弧状断面の凹部（対向凹部）にも、長手方向に延びるリブ（対向リブ）を、発光部の両側の対称的な位置にそれぞれ設けるものである。こうすると、指とプローブとの相対的移動、特に相対回転がより確実に抑止されることとなる。
【００２２】
請求項７の発明は、電源及びディスプレイ部を含むパルスオキシメータの本体部分をプローブに一体に組み込んだパルスオキシメータ、つまり、一体型パルスオキシメータに本発明を適用したものである。一体型パルスオキシメータは質量が大きく、体動の際の加速度により指とプローブとの相対的移動が起こりやすいので、本発明のリブの有用性が高いのは明らかである。
【図面の簡単な説明】
【００２３】
【図１】本発明を一体型パルスオキシメータのプローブに適用した第１実施例の構造を示す図である。
【図２】図１の第１実施例の作用等を示す図である。
【図３】本発明の第１実施例の変形例を示す図である。
【図４】本発明を分離型パルスオキシメータのプローブに適用した第２実施例を示す斜視図である。
【図５】従来の一体型パルスオキシメータのプローブを示す斜視図である。
【発明を実施するための形態】
【００２４】
以下、図面に基づいて、本発明のパルスオキシメータ用のプローブについて説明する。図１は、本発明を一体型パルスオキシメータのプローブに適用した第１実施例の概要を示すものである。ここで、本発明の一体型パルスオキシメータの基本的な構造、すなわち、発光部側ハウジングと受光部側ハウジングとが対向して配置され、両方のハウジングの先端部が互いに近接するようにばねで付勢される構造については、図５の一体型パルスオキシメータと異なるものではなく、図１の第１実施例では、図５における部品等に対応するものには同一の符号を付している。
【００２５】
図１の第１実施例の一体型パルスオキシメータは、プローブとしても機能する発光部側ハウジング１と受光部側ハウジング２とから構成され、発光部側ハウジング１には発光部ＬＤが、受光部側ハウジング２には受光部ＰＤがそれぞれ設置されている。対向して配置された両方のハウジングは、この図には示されていないばねにより先端部が近接し接触する方向に付勢されていて、図の実線のように先端部が閉じているが、反対側を指でつまむと２点鎖線のように開いた状態となる。発光部側ハウジング１の上部には、液晶等によるディスプレイ部４が取り付けられ、また、受光部側ハウジング２の内部には、図示しない電源用電池が格納される。
【００２６】
発光部側ハウジング１の下面には上側凹部１Ｒが形成されるとともに、受光部側ハウジング２の上面にも下側凹部２Ｒが形成されている。両方の凹部は、先端部からハウジングの長手方向に延びており、その間に被検者の指が収容される。上側凹部１Ｒと下側凹部２Ｒとは、図１の上方右図に示すとおり、円弧状断面に形成され、その断面中央部に発光部ＬＤと受光部ＰＤとそれぞれが設置されて、プローブとして構成される。そして、下側凹部２Ｒの表面には、その凹部の長手方向に延びるリブ５が、受光部ＰＤの両側の対称的な位置に１本ずつ設けられている。
【００２７】
酸素飽和度の測定に際し、図２に示すように、発光部側ハウジング１と受光部側ハウジング２とを開いてその間に被検者の指ＦＧを挟み込むと、ばねに付勢された発光部側ハウジング１は、指ＦＧを下側凹部２Ｒの表面に押し付ける。このとき、下側凹部２Ｒの表面に突出するリブ５が、図２の右図に示すとおり、弾力のある指ＦＧの皮膚に少し入り込む形で、指ＦＧは、下側凹部２Ｒ内に保持される。したがって、被検者の体動によってパルスオキシメータに慣性力が作用したとしても、下側凹部２Ｒと指ＦＧとの相対的移動、ことに相対的な回転が阻止され、透過光の乱れによるノイズや測定誤差のない安定した計測を行うことができる。
また、指ＦＧを下側凹部２Ｒの表面に押し付けたときには、リブ５と指ＦＧとが接触する部分の接触圧力が高まって、他の部分の接触圧力が低下するが、リブ５は、受光部ＰＤを挟んだ断面の対称的な２個所において突出しているため、断面中央部の受光部ＰＤに対向する部分では、指ＦＧに作用する接触圧力が弱まる。つまり、指ＦＧの透過光を測定する部分は強く圧迫されず、血流量の少ない被検者であっても、動脈の血流が停止してパルスオキシメータの測定が不可能となることはない。
【００２８】
このように、本発明の第１実施例のプローブは、長手方向に延びる１本のリブ５を、下側凹部２Ｒにおける受光部ＰＤの両側の対称的な位置にそれぞれ設けるものである。リブ５は一定の長さを有する線状の突起であるから、例えば、複数の点状の突起を指に押し付けたときのような、被検者に与える痛みや違和感は殆どなく、また、消毒のため表面を清拭するのが容易である。そして、こうした点に配慮しながら上記の作用効果を発揮させるには、リブ５の長さ、高さ等、図１下図におけるＸ、Ｙ、Ｚの各寸法を次のように設定するのが好ましい。ちなみに、リブ５の断面形状は半円形（かまぼこ形）となっている。
（１）長手方向の長さＸが１０ｍｍ以上で１５ｍｍ以下。
（２）受光部を挟んだリブ間の相互の距離Ｙが６ｍｍ以上で１２ｍｍ以下。
（３）凹部の表面からの高さＺが０．５ｍｍ以上で１．５ｍｍ以下。
【００２９】
リブ５は単純な形状であるから、受光部側ハウジング２の下側凹部２Ｒを製作するときに、同時にかつ容易に形成することができる。一般的には、下側凹部２Ｒは、生体適合性の優れた比較的硬質の合成樹脂の射出成型、圧縮成型等で製作されるが、このときに金型にわずかな加工を加えればよい。また、リブ５のみを合成樹脂で製作し、下側凹部２Ｒに接着して固定することももちろん可能であり、こうすると、既存のプローブに対しても、本発明の効果を奏するリブを設けることができる。
【００３０】
図３には、本発明の第１実施例の変形例を示す。これらの変形例は、受光部の両側にそれぞれ設けられる長手方向のリブの形状等を変更したものであって、図３（ａ）（ｂ）は、受光部側ハウジングの下側凹部２Ｒを上方から視た、図１下図に相当する図である。
図３（ａ）の変形例１では、下側凹部２Ｒの長手方向に互いに平行に延びる２本のリブ５Ａが、受光部ＰＤの両側にそれぞれ設けてあり、Ｂ−Ｂ断面拡大図に示すように、円弧状断面の中央から離れた方のリブの高さが高くなっている。被検者の指は、受光部ＰＤの両側で計４本設置されたリブ５Ａと接触するので、指とリブとの接触部分の面積が増大して、より確実に相対移動を抑止することができる。また、例えば、被検者の指が細い場合であっても、断面の中央に近い方のリブには指が接触して相対移動を抑止することが可能であり、指の太さ等の個人差にかかわらず適正な測定を行うことができる。
【００３１】
図３（ｂ）の変形例２では、受光部側ハウジングの下側凹部２Ｒに設けたそれぞれのリブを、長手方向に２個に分割されたリブ５Ｂとしている。こうすると、分割されたリブ５Ｂの間に突起のない低部が形成され、ここに指の下側の皮膚が入り込んで、指の長手方向の相対的移動が抑止されるとともに、受光部ＰＤに対向する指の部分においては、動脈血流を阻害する指の圧迫度合いが低下することとなる。
【００３２】
図３（ｃ）には、受光部側ハウジングの凹部に設けたリブの断面形状を変更したものを示す。リブの断面形状としては、図１等に示す半円形のリブに限らず、角部に丸みを付した台形形状、三角形形状のものを適宜採用することができる。また、図示はしないが、発光部側ハウジングの凹部（図１では、発光部側ハウジング１の上側凹部１Ｒ）にも、受光部側ハウジングの凹部に設けたリブと同様なリブを設置すると、プローブと指との相対的移動を抑制する効果をより高めることができる。
【００３３】
図４は、本発明を分離型のパルスオキシメータのプローブに適用した第２実施例を示す斜視図である。分離型のパルスオキシメータの挟み込み式プローブにおいても、発光部側ハウジング１と受光部側ハウジング２とが対向して配置される。ただし、電源用電池や測定結果表示用のディスプレイ部を備えた本体が、プローブから分離して設置されており、ケーブルＣＢによりプローブと本体とが接続されることから、プローブ自体は、一体型パルスオキシメータと比べ、小型軽量なものとなっている。
図４に示す第２実施例のプローブでは、基本的には、受光部側ハウジング２には受光部ＰＤのみが置かれ、これは、受光部側ハウジング２の長手方向に延びる下側凹部２Ｒの円弧状断面の中央部に設置される。そして、下側凹部２Ｒには、図１のパルスオキシメータと同様に、その凹部の長手方向に延びるリブ５が、受光部ＰＤの両側の対称的な位置に１本ずつ設けられている。これによって、第２実施例のプローブでも、上述の第１実施例のものと同様な作用効果が達成されることとなる。
【００３４】
以上詳述したように、本発明は、パルスオキシメータの挟み込み式のプローブの、受光部を設けた凹部の表面に、受光部の両側に長手方向に延びるリブを形成して、このリブにより被検者の指の相対的移動を抑えるようにしたものである。上述の実施例では、プローブの両ハウジングが支点を中心に回動し、先端側が開く構造の挟み込み式プローブに対し本発明を適用しているが、両ハウジングが平行状態を保ちながら開く構造のプローブ（こうしたプローブは、一例として特開平１１−１８８０１９号公報に開示されている）に対しても、本発明が適用可能なのは言うまでもない。また、長手方向に直線状に延びるリブに対し多少曲率を持たせる、凹部の断面中心にも付加的なリブを形成するなど、上述の実施例に対し種々の変形が可能であるのは明らかである。
【符号の説明】
【００３５】
１  発光部側ハウジング
１Ｒ  上側凹部
２  受光部側ハウジング
２Ｒ  下側凹部
３  ばね
４  ディスプレイ部
５、５Ａ、５Ｂ  リブ
ＬＤ  発光部
ＰＤ  受光部
【要約】
【課題】指に装着するパルスオキシメータのプローブにおいて、プローブと指との相対的移動を防止し、かつ、指の圧迫による血流の停止を防止して安定した計測を行う。
【解決手段】発光部側ハウジング１と受光部側ハウジング２とから構成される一体型パルスオキシメータには、受光部側ハウジング２の上面に、被検者の指を収容する下側凹部２Ｒが形成されており、ここに、その凹部の長手方向に延びるリブ５を設ける。リブ５は、凹部２Ｒの中央部に置かれた受光部ＰＤを挟んで、その両側の対称的な位置にそれぞれ設けられる。測定時には、ばねに押された発光部側ハウジング１により、指は、凹部２Ｒの表面に押し付けられ、リブ５が指の皮膚に少し入り込んで凹部２Ｒ内に保持されるので、凹部２Ｒと指ＦＧとの相対的移動が阻止されるとともに、受光部ＰＤに対向する指の部分では接触圧力が弱まり、血流の停止が起こることはない。
【選択図】図１【図１】
0005401618.tif 000002
【図２】
0005401618.tif 000003
【図３】
0005401618.tif 000004
【図４】
0005401618.tif 000005
【図５】
0005401618.tif 000006